(57)【要約】  眼鏡フレームの電子眼鏡フレーム要素を特定するための、コンピュータ手段により実行される方法であって、電子眼鏡フレーム要素は眼鏡フレーム要素と眼鏡フレーム要素において具現化される電子要素を含み、この方法は、−  眼鏡フレーム要素において具現化される予定の電子要素に関する電子要素データが提供される電子要素データ提供ステップ（Ｓ２）と、−  ［装用者の要求に対応する］所定の眼鏡フレーム要素の少なくとも１つの幾何学パラメータに関する所定の眼鏡フレーム要素データが提供される所定の眼鏡フレーム要素データ提供ステップ（Ｓ４）と、−  基本眼鏡フレーム要素と基本眼鏡フレーム要素において具現化される電子要素を含む基本電子眼鏡フレーム要素が電子要素データに基づいて規定される基本電子眼鏡フレーム要素規定ステップ（Ｓ６）と、−  基本電子眼鏡フレーム要素が調整される調整ステップ（Ｓ８）と、を含み、電子眼鏡フレーム要素は、調整ステップを繰り返して、所定の眼鏡フレーム要素の幾何学パラメータと基本眼鏡フレーム要素との間の差を最小限にすることによって特定される。
2019530013.tif 000002
【特許請求の範囲】
【請求項１】
眼鏡フレームの電子眼鏡フレーム要素を特定するための、コンピュータ手段により実行される方法であって、前記電子眼鏡フレーム要素は眼鏡フレーム要素と前記眼鏡フレーム要素において具現化される電子要素とを含む方法において、
−  前記眼鏡フレーム要素において具現化される予定の前記電子要素に関する電子要素データが提供される電子要素データ提供ステップ（Ｓ２）と、
−  ［装用者の要求に応じた］所定の眼鏡フレーム要素の少なくとも１つの幾何学パラメータに関する所定の眼鏡フレーム要素データが提供される所定の眼鏡フレーム要素データ提供ステップ（Ｓ４）と、
−  基本眼鏡フレーム要素と前記基本眼鏡フレーム要素において具現化される電子要素とを含む基本電子眼鏡フレーム要素が前記電子要素データに基づいて規定される基本電子眼鏡フレーム要素規定ステップ（Ｓ６）と、
−  前記基本電子眼鏡フレーム要素が調整される調整ステップ（Ｓ８）と、
を含み、
前記電子眼鏡フレーム要素は、前記調整ステップを繰り返して、前記所定の眼鏡フレーム要素の前記幾何学パラメータと前記基本眼鏡フレーム要素との間の差を最小限にすることによって特定される方法。
【請求項２】
前記調整ステップは：
−  前記基本眼鏡フレーム要素の前記幾何学パラメータが調整される眼鏡フレーム要素調整ステップ（Ｓ１０）、
−  前記基本眼鏡フレーム要素の中の前記電子要素の配置が調整される電子配置調整ステップ（Ｓ１２）、
の少なくとも１つを含む、請求項１に記載の方法。
【請求項３】
前記眼鏡フレーム要素は、眼鏡のテンプル若しくは眼鏡の前部又は、眼鏡のテンプルを眼鏡の前部に可動的に取り付けるように構成された丁番である、請求項１又は２に記載の方法。
【請求項４】
前記電子要素は、少なくとも１つの電子構成要素を支持する電子支持部と、前記電子支持部から前記眼鏡フレーム要素を通って延びるワイヤコア部と、を含む、請求項１〜３の何れか１項に記載の方法。
【請求項５】
前記少なくとも１つの電子構成要素は、センサ及び／又は電波発生構成要素及び／又はバッテリ及び／又は発光構成要素を含む、請求項４に記載の方法。
【請求項６】
前記基本電子眼鏡フレーム要素は、前記電子要素の寸法を考慮し、及び／又は前記電子要素が前記眼鏡フレーム要素内にあるときの放熱を考慮して調整される、請求項１〜５の何れか１項に記載の方法。
【請求項７】
前記調整ステップ（Ｓ８）中に、
−  前記基本眼鏡フレーム要素の材料又は異なる材料、及び／又は
−  前記基本眼鏡フレーム要素の重量分布及び／又は
−  前記基本眼鏡フレーム要素の形状
が調整される、請求項１〜６の何れか１項に記載の方法。
【請求項８】
−  前記方法は、前記眼鏡フレーム要素の製造に利用できる製造装置を特定する製造装置データが提供される製造装置データ提供ステップ（Ｓ１４）をさらに含み、
−  前記調整ステップ（Ｓ８）中に、前記基本眼鏡フレーム要素は前記製造装置データにより特定された前記製造装置の技術的可能性を考慮して調整される、
請求項１〜７の何れか１項に記載の方法。
【請求項９】
−  前記方法は、少なくとも前記基本眼鏡フレーム要素と前記電子要素の重量に関する快適さデータが提供される快適さデータ提供ステップ（Ｓ１６）をさらに含み、
−  前記調整ステップ（Ｓ８）中に、前記基本電子眼鏡フレーム要素の前記重量が前記快適さデータに基づいて特定され、前記基本眼鏡フレーム要素は前記基本電子眼鏡フレーム要素の特定された前記重量を考慮して調整される、
請求項１〜８の何れか１項に記載の方法。
【請求項１０】
−  前記方法は、少なくとも前記眼鏡フレームが装用者により装用されたときの前記眼鏡フレーム要素と頭部及び／又は顔面との接触領域の形態に関する形態学的装用者データを含む装用者データが提供される装用者データ提供ステップ（Ｓ１８）をさらに含み、
−  前記調整ステップ（Ｓ８）中に、前記基本眼鏡フレーム要素により前記接触領域に加えられる機械力が前記装用者データに基づいて特定され、前記基本眼鏡フレーム要素が特定された前記機械力を考慮して調整される、
請求項１〜９の何れか１項に記載の方法。
【請求項１１】
−  前記方法は、前記眼鏡フレームが装用者により装用されたときの前記基本眼鏡フレーム要素の審美性に関する審美データが提供される審美データ提供ステップ（Ｓ２０）をさらに含み、
−  前記調整ステップ（Ｓ８）中に、前記基本眼鏡フレーム要素は前記審美データを考慮して調整される、
請求項１〜１０の何れか１項に記載の方法。
【請求項１２】
−  前記所定の眼鏡フレーム要素は、少なくとも１つの所定のパラメータにしたがって眼鏡フレーム要素データベースの中から選択される、請求項１〜１１の何れか１項に記載の方法。
【請求項１３】
前記所定のパラメータは、形状スタイルパラメータ及び／又は形状サイズパラメータ及び／又は厚さパラメータ及び／又は材料パラメータ及び／又は審美パラメータ及び／又は統計パラメータである、請求項１２に記載の方法。
【請求項１４】
装用者に電子眼鏡フレーム要素を提供する方法であって、前記電子眼鏡フレーム要素は、眼鏡フレーム要素と少なくとも１つの電子要素を含み、前記眼鏡フレーム要素は、前記少なくとも１つの電子要素の少なくとも１つを具現化するように構成される方法において、
−  請求項１〜１３の何れか１項により電子眼鏡フレーム要素を特定するステップと、
−  特定された前記電子眼鏡フレーム要素を製造するステップと、
を含む方法。
【請求項１５】
少なくとも１つの光学レンズ（４）と眼鏡フレーム（１０）を含む光学器具（２）を特定するための、コンピュータ手段により実行される方法において、
−  前記光学レンズ（４）は、前記眼鏡フレームに取り付けられるようになされ、
−  前記眼鏡フレーム（１０）は、複数の眼鏡フレーム要素を含み、その中の少なくとも１つの眼鏡フレーム要素は、少なくとも１つの電子要素を具現化する電子眼鏡フレーム要素であり、
−  前記方法は少なくとも、各電子眼鏡フレーム要素について、請求項１〜１４の何れか１項により眼鏡フレーム要素を特定するステップを含む方法。
【発明の詳細な説明】
【技術分野】
【０００１】
本発明は、眼鏡フレームの電子眼鏡フレーム要素を特定する方法、そのような電子眼鏡フレーム要素を装用者に提供する方法、及び少なくとも１つの光学レンズと、少なくとも１つのそのような電子眼鏡フレーム要素と、を有する眼鏡フレームを含む光学器具を特定する方法に関する。
【背景技術】
【０００２】
電子眼鏡フレームは、重要で急速な成長を遂げている。より多様化された電子要素を持つますます多くの電子眼鏡フレームが開発されている。
【０００３】
電子眼鏡フレームは、センサ、ディスプレイ、アクティブレンズ、バッテリ、ローカル処理のためのプロセッサと通信装置、及び充電装置等、多くの様々な電子要素を含んでいてもよい。
【０００４】
電子眼鏡フレームへの関心の高まりに伴い、電子構成要素を眼鏡フレームに含めることのできる解決策を提供することが重要となっている。
【０００５】
現在、電子要素を眼鏡フレームの前部又はテンプルに埋め込むことがよく知られている。
【０００６】
しかしながら、眼鏡フレームの中に組み込むべき電子構成要素の量の増加を考えると、これらの実装ではもはや十分ではない。
【発明の概要】
【発明が解決しようとする課題】
【０００７】
したがって、複数の電子要素を眼鏡フレームに組み込むことができ、その一方で非常にコンパクトであり、電子要素を有する眼鏡フレームの異なる部分間の接続を可能にする解決策が求められている。
【０００８】
本発明の目的は、このような解決策を提案することである。
【課題を解決するための手段】
【０００９】
そのために、本発明は、眼鏡フレームの電子眼鏡フレーム要素を特定するための、コンピュータ手段により実行される方法を提案するものであり、この電子眼鏡フレーム要素は眼鏡フレーム要素と眼鏡フレーム要素において具現化される電子要素とを含み、方法は、
−  眼鏡フレーム要素において具現化されるべき電子要素に関する電子要素データが提供される電子要素データ提供ステップと、
−  ［装用者の要求に対応する］所定の眼鏡フレーム要素の少なくとも１つの幾何学パラメータに関する所定の眼鏡フレーム要素データが提供される所定の眼鏡フレーム要素データ提供ステップと、
−  基本眼鏡フレーム要素と基本眼鏡フレーム要素において具現化される電子要素とを含む基本電子眼鏡フレーム要素が電子要素データに基づいて規定される基本電子眼鏡フレーム要素規定ステップと、
−  基本電子眼鏡フレーム要素が調整される調整ステップと、
を含み、
電子眼鏡フレーム要素は、調整ステップを繰り返して、所定の眼鏡フレーム要素の幾何学パラメータと基本眼鏡フレーム要素との間の差を最小限にすることによって特定される。
【００１０】
有利な点として、本発明による特定する方法は、眼鏡フレームへの電子要素の組み込みを最適化しながら、少なくとも電子眼鏡フレーム要素がコンパクトで、眼鏡フレームの異なる電子眼鏡フレーム要素間の接続が可能であることを確実にするための解決策を提供する。
【００１１】
個別に、又は組み合わせて考えることのできる別の実施形態によれば：
−  調整ステップは：
・基本眼鏡フレーム要素の幾何学が調整される眼鏡フレーム要素調整ステップ、
・基本眼鏡フレーム要素の中の電子要素の配置が調整される電子配置調整ステップ、
の少なくとも１つを含み、
−  眼鏡フレーム要素は、眼鏡のテンプル若しくは眼鏡の前部又は、眼鏡のテンプルを眼鏡の前部に可動的に取り付けるように構成された丁番であり、
−  電子要素は、少なくとも１つの電子構成要素を支持する電子支持部と、電子支持部から眼鏡フレーム要素を通って延びるワイヤコア部と、を含み、
−  少なくとも１つの電子構成要素は、センサ及び／又は電波発生構成要素及び／又はバッテリ及び／又は発光構成要素を含み、
−  基本電子眼鏡フレーム要素は、電子要素の寸法を考慮し、及び／又は電子要素が眼鏡フレーム要素内にあるときの放熱を考慮して調整され、
−  調整ステップ中に、
・基本眼鏡フレーム要素の材料又は異なる材料、及び／又は
・基本眼鏡フレーム要素の重量分布及び／又は
・基本眼鏡フレーム要素の形状
が調整され、
−  方法は、眼鏡フレーム要素の製造に利用できる製造装置を特定する製造装置データが提供される製造装置データ提供ステップをさらに含み、調整ステップ中に、基本眼鏡フレーム要素は製造データにより特定された製造装置の技術的可能性を考慮して調整され、
−  方法は、少なくとも基本眼鏡フレーム要素と電子要素の重量に関する快適さデータが提供される快適さデータ提供ステップをさらに含み、調整ステップ中に、基本電子眼鏡フレーム要素の重量が快適さデータに基づいて特定され、基本眼鏡フレーム要素は基本電子眼鏡フレーム要素の特定された重量を考慮して調整され、
−  方法は、少なくとも眼鏡フレームが装用者により装用されたときの眼鏡フレーム要素と頭部及び／又は顔面との接触領域の形態に関する形態学的装用者データが提供される装用者データ提供ステップをさらに含み、調整ステップ中に、基本眼鏡フレーム要素により前記接触領域に加えられる機械力が装用者データに基づいて特定され、基本眼鏡フレーム要素が特定された機械力を考慮して調整され、
−  方法は、眼鏡フレームが装用者により装用されたときの基本眼鏡フレーム要素の審美性に関する審美データが提供される審美データ提供ステップをさらに含み、調整ステップ中に、基本眼鏡フレーム要素は審美データを考慮して調整され、
−  所定の眼鏡フレーム要素は、少なくとも１つの所定のパラメータにしたがって眼鏡フレーム要素データベースの中から選択され、
−  所定のパラメータは、形状スタイルパラメータ及び／又は形状サイズパラメータ及び／又は厚さパラメータ及び／又は材料パラメータ及び／又は審美パラメータ及び／又は統計パラメータである。
【００１２】
本発明はまた、装用者に電子眼鏡フレーム要素を提供する方法にも関し、電子眼鏡フレーム要素は、眼鏡フレーム要素と少なくとも１つの電子要素を含み、眼鏡フレーム要素は、少なくとも１つの電子要素の少なくとも１つを具現化するように構成され、方法は、
−  前項までの特許請求項の何れかにより電子眼鏡フレーム要素を特定するステップと、
−  特定された電子眼鏡フレーム要素を製造するステップと、
を含む。
【００１３】
本発明の他の目的は、少なくとも１つの光学レンズと眼鏡フレームを含む光学器具を特定するための、コンピュータ手段により実行される方法に関し、
−  光学レンズは、眼鏡フレームに取り付けられるようになされ、
−  眼鏡フレームは、複数の眼鏡フレーム要素を含み、その中の少なくとも１つの眼鏡フレーム要素は、少なくとも１つの電子要素を具現化する電子眼鏡フレーム要素であり、
−  方法は少なくとも、各電子眼鏡フレーム要素について、前項までの特許請求項の何れかにより眼鏡フレーム要素を特定するステップを含む。
【００１４】
有利な点として、本発明による光学器具を特定する方法は、眼鏡フレームの中に埋め込まれる電子要素を含む光学器具を製作し、最適化するための解決策を提供する。
【００１５】
別の態様によれば、本発明は、プロセッサによりアクセス可能であり、プロセッサにより実行されたときに、プロセッサに本発明による眼鏡フレーム要素を特定する方法のステップを実行させる１つ又は複数の記憶された命令シーケンスを含むコンピュータプログラム製品に関する。
【００１６】
本発明はさらに、本発明によるコンピュータプログラム製品の１つ又は複数の命令シーケンスを実行するコンピュータ可読媒体に関する。
【００１７】
さらに、本発明は、コンピュータに少なくとも本発明の眼鏡フレーム要素を特定する方法を実行させるプログラムに関する。
【００１８】
本発明はまた、プログラムがそこに記録されているコンピュータ可読記憶媒体にも関し、ブログラムはコンピュータに少なくとも本発明の眼鏡フレーム要素を特定する方法を実行させる。
【００１９】
本発明はさらに、１つ又は複数の命令シーケンスを記憶し、本発明による方法のステップの少なくとも１つを実行するようになされたプロセッサを含む装置に関する。
【００２０】
特に別段の明記がないかぎり、以下の説明文から明らかであるように、本明細書の説明文全体を通じて、「コンピューティング（ｃｏｍｐｕｔｉｎｇ）」、「計算（ｃａｌｃｕｌａｔｉｎｇ）」又はその他の用語の使用は、コンピュータシステムのレジスタ及び／又はメモリの中の電子的等の物理的数量として表現されたデータを操作し、及び／又は変換して、コンピュータシステムのメモリ、レジスタ、又はその他のこのような情報記憶、伝送、又は表示装置の中の物理的数量として同様に表現される他のデータとするコンピュータ若しくはコンピューティングシステム又は同様の電子コンピューティングデバイスの動作及び／又はプロセスを指すと理解する。
【００２１】
本発明の実施形態は、本明細書中の動作を実行する装置を含んでいてもよい。この装置は、所望の目的のために特に構成されていてもよく、又はコンピュータの中に記憶されたコンピュータプログラムにより選択的に作動され、又は再構成される汎用コンピュータ若しくはＤＳＰ（Ｄｉｇｉｔａｌ  Ｓｉｇｎａｌ  Ｐｒｏｃｅｓｓｏｒ）を含んでいてもよい。このようなコンピュータプログラムは、コンピュータ可読記憶媒体に記憶されていてもよく、これは例えば、あらゆる種類のディスク、例えばフロッピディスク、光ディスク、ＣＤ−ＲＯＭ、磁気光ディスク、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）ＥＰＲＯＭ（ｅｌｅｃｔｒｉｃａｌｙ  ｐｒｏｇｒａｍｍａｂｌｅ  ｒｅａｄ−ｏｎｌｙ  ｍｅｍｏｒｙ）、ＥＥＰＲＯＭ（ｅｌｅｃｔｒｉｃａｌｌｙ  ｅｒａｓａｂｌｅ  ａｎｄ  ｐｒｏｇｒａｍｍａｂｌｅ  ｒｅａｄ  ｏｎｌｙ  ｍｅｍｏｒｙ）、磁気若しくは光カード、又は電子命令を記憶するのに適し、コンピュータシステムバスに連結可能な他のあらゆる種類の媒体であるが、これらに限定されない。
【００２２】
プロセスと表示は、本来的に何れかの特定のコンピュータ又はその他の装置に関係するものではない。各種の汎用システムを本明細書中の教示によるプログラムと共に使用してもよく、又はより専門化された装置を所望の方法を実行するように構築することが好都合であると判明するかもしれない。様々なこれらのシステムのための所望の構造は、下記の説明から明らかであろう。これに加えて、本発明の実施形態は何れかの特定のプログラミング言語に関しても記載されていない。本明細書に記載の本発明の教示を実行するために、各種のプログラミング言語を使用してもよいことがわかるであろう。
【００２３】
ここで、本発明の実施形態をあくまでも例として、また下記のような図面を参照しながら説明する。
【図面の簡単な説明】
【００２４】
【図１】本発明による眼鏡フレームを含む光学器具の概略図である。
【図２】本発明の実施形態による電子眼鏡フレーム要素を特定する方法のステップを表すフローチャートである。
【発明を実施するための形態】
【００２５】
図中の要素は簡潔さと明瞭さのために示されており、必ずしも正確な縮尺で描かれているとはかぎらない。例えば、本発明の実施形態をよりよく理解するのを助けるために、図中の要素の幾つかの寸法は他の要素に関して誇張されているかもしれない。
【００２６】
図１は、少なくとも１つの光学レンズ４と眼鏡フレーム１０を含む光学器具２の一例を表す。
【００２７】
その、又は各光学レンズ４は、眼鏡フレーム１０に取り付けられるようになされている。
【００２８】
本発明の枠内で、「光学レンズ」という用語は装用者の顔面により支持されるように意図されたあらゆる種類の既知のレンズを意味すると理解されたい。この用語は、視力矯正レンズ、非矯正レンズ、セミフィニッシュトレンズ等の眼科レンズ、例えば累進屈折力レンズ、単焦点又は多焦点レンズを指すことができる。この用語はまた、例えば色相、フォトクロミズム、偏光フィルタ、エレクトロクロミズム、反射防止特性、傷防止特性等の少なくとも１つの付加価値を示すことのできる前記眼鏡レンズを指すことができる。
【００２９】
光学器具は、例えばゴーグル若しくはマスクのように装用者の両眼を覆うか、又は、例えばヘッドマウントディスプレイのように片眼のみを覆う１つの光学レンズを含んでいてもよい。光学器具は、各々が装用者の片眼を覆う２つの光学レンズを含んでいてもよい。この用語は、眼科光学器具、眼科以外の光学器具、サングラス、ゴーグル等のスポーツ用グラス、老眼鏡、保護眼鏡、運転用グラスを指すことができる。
【００３０】
眼鏡フレーム１０は、前部１２と第一及び第二の側部すなわちテンプル１４を含む。第一及び第二のテンプル１４は、丁番２０とねじを使って前部１２に取り付けられるように構成される。
【００３１】
図１に示されるように、前部１２は、光学レンズ４、例えば眼科レンズを受けるように配置されたフレームリム２２を含んでいてもよい。フレームリムはブリッジ２６によって連結され、フレームを装用したときに使用者の鼻の上に載るように配置されたノーズパッド２８を含んでいてもよい。
【００３２】
第一及び第二のテンプルは、使用者の耳の周囲に、フレームが前記使用者により装用されたときにフィットするように配置されたパッド又は先セル３０を含んでいてもよい。
【００３３】
さらに、眼鏡フレームの眼鏡フレーム要素の中で、少なくとも１つの眼鏡フレーム要素は少なくとも１つの電子要素を具現化する電子眼鏡フレーム要素である。
【００３４】
電子要素は、少なくとも１つの電子構成要素を支持する電子支持部と、電子支持部から眼鏡フレーム要素を通って延びるワイヤコア部とを含む。ワイヤコア部は管状であり、電気ワイヤ及び／又は光ファイバが電子構成要素から管状のワイヤコア部を通って延びてもよい。
【００３５】
例えば、電子構成要素は少なくともセンサ、電波発生構成要素、バッテリ、及び／又は発光構成要素を含んでいてもよい。
【００３６】
電子要素を具現化する電子眼鏡フレーム要素は、眼鏡フレームの前部１２、少なくとも一方のテンプル１４、少なくとも一方の先セル３０、又は少なくとも１つの丁番２０とすることができる。眼鏡フレームの少なくとも１つの電子眼鏡フレーム要素は、本発明による方法により特定される。
【００３７】
ここで、本発明による眼鏡フレームの電子眼鏡フレーム要素を特定するための、コンピュータ手段により実行される方法について詳述する。
【００３８】
眼鏡フレーム要素は、眼鏡テンプル若しくは眼鏡前部又は、眼鏡テンプルを眼鏡前部に可動的に取り付けるように構成された丁番である。
【００３９】
方法は少なくとも：
−  電子要素データ提供ステップＳ２と、
−  所定の眼鏡フレーム要素データ提供ステップＳ４と、
−  基本電子眼鏡フレーム要素規定ステップＳ６と、
−  調整ステップＳ８及び
を含む。
【００４０】
さらに、電子眼鏡フレーム要素は、調整ステップを繰り返して、所定の眼鏡フレーム要素の幾何学パラメータと基本眼鏡フレーム要素との差を最小限にすることによって特定される。
【００４１】
電子要素データ提供ステップＳ２中に、眼鏡フレーム要素において具現化される予定の電子要素に関する電子要素データが提供される。
【００４２】
所定の眼鏡フレーム要素の少なくとも１つの幾何学パラメータに関する所定の眼鏡フレーム要素データが所定の眼鏡フレーム要素データ提供ステップＳ４中に提供される。所定の眼鏡フレーム要素は好ましくは、装用者の需要に対応する、又はそれに近い眼鏡フレーム要素である。
【００４３】
基本電子眼鏡フレーム要素規定ステップＳ６中に、基本電子眼鏡フレーム要素が電子要素データに基づいて規定される。電子眼鏡フレーム要素は、基本眼鏡フレーム要素と、基本眼鏡フレーム要素において具現化される電子要素とを含む。
【００４４】
調整ステップＳ８中に、基本電子眼鏡フレーム要素が調整される。
【００４５】
好ましくは、基本電子眼鏡フレーム要素は、電子要素の寸法を考慮して、及び／又は電子要素が眼鏡フレーム要素内にあるときの放熱を考慮して調整される。
【００４６】
さらに、調整ステップＳ８中に、好ましくは、基本眼鏡フレーム要素の材料又は異なる材料及び／又は基本眼鏡フレーム要素の重量分布及び／又は基本眼鏡フレーム要素の形状が調整される。
【００４７】
有利な点として、調整ステップＳ８は、基本眼鏡フレーム要素の幾何学が調整される眼鏡フレーム要素調整ステップＳ１０をさらに含む。
【００４８】
好ましくは、調整ステップＳ８は、基本眼鏡フレーム要素の中の電子要素の配置が調整される電子配置調整ステップＳ１２をさらに含むことができる。
【００４９】
第一の実施形態によれば、方法は、眼鏡フレーム要素を製造するために利用可能な製造装置を特定する製造装置データが提供される製造装置データ提供ステップＳ１４をさらに含む。
【００５０】
例えば、製造はおそらく、付加製造装置の場合、除去製造装置の場合と非常に異なるかもしれない。有利な点として、このような実施形態によれば、このような技術的な違いは特定ステップＳ１４中に考慮されてもよい。
【００５１】
基本眼鏡フレーム要素は、調整ステップＳ８中に、製造データにより特定された製造装置の技術的可能性を考慮して調整される。
【００５２】
前述のものと両立する第二の実施形態によれば、方法は、少なくとも基本眼鏡フレーム要素と電子要素の重量に関する快適さデータが提供される快適さデータ提供ステップＳ１６をさらに含む。
【００５３】
重量という用語は、物体自体の重量（例えば国際標準ＩＳＯ８００００−４（２００６）に記載されている）及び物体における前記重量の割り当て部分と理解されたい。
【００５４】
すると、調整ステップＳ８中に、基本電子眼鏡フレーム要素の重量は快適さデータに基づいて特定され、基本眼鏡フレーム要素は、基本電子眼鏡フレーム要素の特定された重量を考慮して調整される。
【００５５】
快適さデータは、基本電子眼鏡フレーム要素及び、基本電子眼鏡フレーム要素を組み込んだ光学器具の総重量に直接関係していてもよい。実際、一般に光学器具が軽いほど、より快適であると考えられるかもしれない。例えば、快適さデータは、光学器具の重量が最小であるときに最小となるように配置されてもよい。
【００５６】
快適さデータはまた、光学器具の前側と後側との間及び／又は左側と右側との間の重量のバランスを考慮するように配置されてもよい。
【００５７】
例えば、快適さデータは、右側と左側との間の光学器具の重量の差が第一の所定の値に対応するときに最小であるように提供される。右側と左側の重量とは、光学器具を装用したときに装用者の右側と左側によって支持される重量と理解すべきである。
【００５８】
第一の所定の値は、光学器具の使用時の姿勢の好み及び／又は装用者の形態に応じて設定されてもよい。例えば、第一の所定の値は、光学器具の右側と左側との間の重量のバランスをとるようにゼロに設定されてもよい。
【００５９】
有利な点として、このような快適さデータは、左右の光学レンズ間の重量の差を補償するために使用できる。それゆえ、光学器具が装用者の耳介と鼻にかかる圧力のバランスをとり、装用者にとってより快適となるようにしてもよい。
【００６０】
前述のものと両立する第三の実施形態によれば、方法は、装用者データ提供ステップＳ１８をさらに含む。このステップＳ１８中に、少なくとも眼鏡フレームが装用者により装用されたときの眼鏡フレーム要素と頭部及び又は顔面との接触領域の形態に関する形態学的装用者データを含む装用者データが提供される。
【００６１】
前記実施形態において、頭部及び／又は顔面との接触領域は装用者の鼻と耳介により表されると理解される。
【００６２】
すると、光学器具が装用者により静的又は動的モードで装用されたときに基本眼鏡フレーム要素により前記接触領域に加えられる機械力は、装用者データに基づいて特定される。装用者の鼻及び耳介の形状と位置等の形態学的装用者データは、光学器具により加えられる力を特定するために使用されてもよい。
【００６３】
例えば、光学器具を装用したときに装用者に加えられる異なる力の中で、光学器具と頭部及び／又は顔面との接触領域における重力、締め付け力、及び摩擦力は本発明にとって特に関心の対象となる。
【００６４】
すると、調整ステップＳ８中に基本眼鏡フレーム要素は特定された機械力を考慮して調整される。
【００６５】
前述のものと両立する第四の実施形態によれば、方法は、眼鏡フレームが装用者により装用されたときの基本眼鏡フレーム要素の審美に関する審美データが提供される審美データ提供ステップＳ２０をさらに含む。
【００６６】
審美データは、光学器具の個別の適正なフィットパラメータ及び／又は装用者の審美的要求事項若しくは好み及び／又は装用者の形態学と光学器具との組合せの印象評価に関していてもよい。
【００６７】
形態学的装用者データは、ヘアスタイル、髪の色、目の色、眼鏡フレームの色及び／又は装用者の好みとスタイルと組み合わせて、又は組み合わせずに、そのようなパラメータを特定するために使用されてもよい。
【００６８】
顔、目、鼻、こめかみ、及び／又は眉毛の特徴が形態学的装用者データとして使用されてもよい。
【００６９】
すると、調整ステップＳ８中に、基本眼鏡フレーム要素は審美データを考慮して調整される。
【００７０】
例えば、審美データは、少なくとも装用者により装用されたときの光学器具の水平さに関係していてもよい。
【００７１】
前述のものと両立する第五の実施形態によれば、所定の眼鏡フレーム要素は好ましくは、少なくとも１つの所定のパラメータにしたがって眼鏡フレーム要素データベースの中から選択される。
【００７２】
例えば、所定の眼鏡フレーム要素を選択するために使用される所定のパラメータの少なくとも１つは：
−  形状スタイルパラメータ、
−  形状サイズパラメータ、
−  厚さパラメータ、
−  材料パラメータ、
−  審美パラメータ、
−  データベースの全体的分析に関する「トレンドパラメータ」に対応しうる統計パラメータ
である。
【００７３】
それゆえ、装用者は、自分の基準に対応する所定のパラメータを設定でき、本発明による方法により、自分の基準にしたがってデータベースの中からよりよい眼鏡フレームを見つけることができる。
【００７４】
このような眼鏡フレーム要素データベースは、少なくとも：
−  少なくとも眼鏡フレーム要素の画像リストを取得するステップ。例えば、画像はウェブサイトからのスクリーンショットとするか、又はカタログからダウンロードできる。
−  形状スタイルパラメータ、形状サイズパラメータ、厚さパラメータ、材料パラメータ及び／又は審美パラメータに関する具体的データを取得するためにこれらの画像の分析を処理するステップ
を含む方法にしたがって生成できる。
【００７５】
本発明の他の目的は、電子眼鏡フレーム要素を装用者に提供する方法に関する。電子眼鏡フレーム要素は、眼鏡フレームと少なくとも１つの電子要素とを含む。さらに、眼鏡フレーム要素は、少なくとも１つの電子要素の少なくとも１つを具現化するように構成される。
【００７６】
この方法によれば、電子眼鏡フレーム要素は、本発明による、上述した特定方法にしたがって特定される。
【００７７】
すると、特定された電子眼鏡フレーム要素は相応に製造される。
【００７８】
この方法は、使用者に提供される予定の眼鏡フレームの各電子眼鏡フレーム要素について実施できる。
【００７９】
より詳しくは、本発明はまた、少なくとも光学レンズと眼鏡フレームを含む光学器具を特定するための、コンピュータ手段により実行される方法にも関する。
【００８０】
光学レンズは、眼鏡フレームに取り付けられるようになされる。
【００８１】
眼鏡フレームは複数の眼鏡フレーム要素を含み、その中で少なくとも１つの眼鏡フレーム要素は、少なくとも１つの電子要素を具現化する電子眼鏡フレーム要素である。
【００８２】
本発明によれば、方法は少なくとも、各電子眼鏡フレーム要素について、本発明による、上述した特定方法による眼鏡フレーム要素の特定を含む。
【００８３】
本発明は、全体的な発明的概念を限定することなく、実施形態を援用して上述した。
【００８４】
当業者であれば、例としてのみ提供され、付属の特許請求の範囲によってのみ特定される本発明の範囲を限定しようとするものではない上述の例示的実施形態を参照すれば他の多くの改良とバリエーションを着想するであろう。
【００８５】
特許請求の範囲において、「〜を含む（ｃｏｍｐｒｉｓｉｎｇ）」という単語は他の要素又はステップを排除せず、不定冠詞（ａ又はａｎ）は複数を排除しない。相互に異なる従属項中に異なる特徴が記載されているからといって、これらの特徴の組合せを有利に使用できないことを示していることにはならない。特許請求の範囲における参照符号は、本発明の範囲を限定するものとは解釈すべきではない。
【図１】
2019530013.tif 000003
【図２】
2019530013.tif 000004
【国際調査報告】
2019530013.tif 000005
2019530013.tif 000006
2019530013.tif 000007